(57)【要約】【課題】  事実上/実際上、推定不能と諦められていた雷雲由来の落雷エネルギーを、現有到達技術の新たな観点での組合せによって、有効に利用・活用する手法を見出す。【解決手段】  雷雲近接時に、避雷機構の機能にコンデンサ充電による電界エネルギー一部吸収のステップを持たせ、かつ、そのプロセスの推移データを既知として、面的に構成した避雷エリア周辺と対照的な誘雷機構の機能地点を組み合わせて落雷点を事前に定めた設定点に誘導する。【選択図】  図１
2015097188.tif 000002
【特許請求の範囲】
【請求項１】
雷雲の近接時に、前記雷雲と異極性電荷を持つ誘雷機構装置と、前記誘雷機構装置の周辺に複数配置した、前記雷雲と同極性電荷を持つ避雷機構装置とを有することを特徴とする雷撃誘導システム。
【請求項２】
請求項１記載の避雷機構システムにおいて、複数の前記避雷機構装置は、地表面に面的な広がりをもって配置することを特徴とする雷撃誘導システム。
【請求項３】
請求項１または２に記載の雷撃誘導システムにおいて、前記避雷機構装置及び前記誘雷機構装置の各々は、それぞれの高さまたは電荷量を増減することを特徴とする雷撃誘導システム。
【請求項４】
請求項１から３のいずれか１項に記載の雷撃誘導システムにおいて、前記避雷機構装置は、静電遮蔽しない、可変容量の接地コンデンサと、該避雷機構装置の稼働を入り切りするスイッチとを有し、二次的な電荷処理装置を付帯することを特徴とする雷撃誘導システム。
【請求項５】
請求項１から３のいずれか１項に記載の雷撃誘導システムにおいて、前記誘雷機構装置とは金属針と、該誘雷機構装置の稼働を入り切りするスイッチとを有し、二次的なエネルギー処理装置を付帯することを特徴とする雷撃誘導システム。
【請求項６】
請求項５に記載の雷撃誘導システムにおいて、前記二次的なエネルギー処理装置は、電気的エネルギーから、熱的、電磁的、および慣性的エネルギーの少なくとも一のエネルギーへの変換プロセスを有することを特徴とする雷撃誘導システム。
【請求項７】
請求項４に記載の雷撃誘導システムにおいて、前記接地コンデンサの充電量の調節方法として、他の蓄電システムへの電荷移動作業を遂行中は、近隣の他のコンデンサ充電電荷極性による避雷空間内にて実行可能な構成組合せとすることを特徴とする雷撃誘導システム。
【請求項８】
請求項７に記載の雷撃誘導システムにおいて、前記接地コンデンサでの蓄積可能エネルギーの値を第一段とし、その値と、気象計測データ検出値の推移相関の関係性から、誘導されて落雷させる雷撃エネルギーのパラメータを推定し、第二段の落雷電流の処理での仕様整合を図ることを特徴とする雷撃誘導システム。
【請求項９】
請求項８に記載の雷撃誘導システムにおいて、前記気象計測データ検出値とは、地表面近傍空間電界強度、または雷雲下面の地表面高度、またはそれらの変化率によって演算推定するマクロ認識する雷撃誘導システム。
【請求項１０】
請求項４に記載の雷撃誘導システムにおいて、前記接地コンデンサとして、並列接続したリチウムイオンキャパシタを用いることを特徴とする雷撃誘導システム。
【発明の詳細な説明】
【技術分野】
【０００１】
本発明は、自然界の雷撃対策に関し、単に避雷目的のみでなく、設定した雷撃点への誘導と、雷撃自身およびその周辺部の空間場におけるエネルギーを一部（吸収）獲得及び蓄積するシステムに関する。
【背景技術】
【０００２】
近来、異常気象という言葉に代表される苛酷な気象状況の変化が頻繁に発生・報告されるようになり、異常が常態化されてきている。このことを客観的に観れば、大気の温度変化、域間圧力差の増大、また海流ルート変化や降雨量の増大・異常乾燥の継続への影響展開、竜巻、大型台風の発生など、人間の五感的な感覚にはわかり易い変動認識であるが、これらは更に世界各国でも類似状況であり、この自然の作用が人間界にとってみて異常であろうとも、その原因（恐らくは太陽活動の変換期との推定がある）を根本的に除去することは、現到達技術においては、基本的には不可能である。したがって次善の策である、上記状況の改善をいかに行いうるのかという点が、人類共通の社会的課題であることは論を待たない。
【０００３】
現在知見においては、避雷及び大気空間場の電界応用の容量性蓄電の概念についての技術提案はなされているが、更に積極的に雷撃自身の電流までを含めたエネルギー獲得までを考慮した地上設備の構成についての対策に関しては、実際的なものとしては特に見当たらない。各種自然エネルギー応用による、環境負荷低減型の好ましいインフラ社会構想を具体化していくべき時代であるが、世の中に提示されているのは、上述以外は、風力発電など時代を経た旧来システムの改善・改良版のシステムが多く、太陽光、太陽熱などでのエネルギー変換システムの各イノベーションはあるものの、その技術領域内でのプロセス改善の域に留まっているのが専らである。
【０００４】
特許文献１には、接地構成とした大容量のコンデンサを適用し、雷雲近接時の、または、離散消滅時の大気電界強度の変動状態を応用し、静電遮蔽しない金属極板を用いて、ＲＣ直列回路を大気空間を包含して構成し、スイッチングによる回路内動作（過渡特性）を応用し、過渡状態を支配（記述）する微分方程式に基き、コンデンサに電荷を蓄積する方法であり、更に大容量のバッテリー等に電荷を移して、総合的に利用・活用可能な新たな蓄電（発電）方式を提案したものである。
【０００５】
また、特許文献２には、雷電力利用の方法に関する記述がある。特許文献３には、雷雲の検知方法に関する技術が述べられている。特許文献４は、好ましい接地電極のハードウエアとそれを応用した空気中のイオン化作用に関するものである。
【先行技術文献】
【特許文献】
【０００６】
【特許文献１】ＰＣＴ/ＪＰ２０１２/００２１３３号公報
【特許文献２】特開２００８−１１７６４０号公報
【特許文献３】特開平１１−３０４９５０号公報
【特許文献４】特開平８−２７３７１５号公報
【発明の概要】
【発明が解決しようとする課題】
【０００７】
大気空間の状況変動ありきを前提において地上生活する人間の環境改善では、課題解釈として、上空の大気の持つエネルギーポテンシャル（変化）が、地面に対して大きすぎるという点である。かくなる解釈・視点に立てば、その着目に従って、空間の対地電位差を地上面から縮減することができないかとの焦点絞込みを図る。換言すれば、瞬時の雷撃パワーを、それなりに十分弱めた上で、決めた地点に落とす。続いて、落雷させた上で雷撃パワー貯めて活用するという手順で攻略するものである。
【０００８】
特許文献１では、その装置が記載されている範囲において、エネルギー源はあくまで電界そのもので、雷撃自身を含まない。特許文献１の発電（充電）装置は、電気品基本構成上コンデンサとバッテリーであり、また回路充電中の電流による抵抗発熱効果を併せて期待するものであり、雷放電電流を利用するものではない。
【０００９】
特許文献２には、雷電力利用の方法に関する記述が見えるものの、誘雷時の制約となる極性固定を前提とした場合の記述であり、またそのためのコロナ放電装置の設備構成が必要となり、それなりに複雑な構成となること、また実際適用上の電荷は負の符号の場合もあるはずであるが、極性対応は不明である。更には地表面一点（ワンポイント）の装置電荷の議論であって、地表面領域の面的な拡がりでの誘雷を議論したものではなく、従来の避雷針機能と同程度の機能と類推される。
【００１０】
特許文献３には、雷雲の検知方法に関する技術が述べられているが、その内容は雷雲の有無のセンシングが目的であり、雷雲に伴う雷撃ポイントの誘導やエネルギー獲得を目的にしたものではない。
【００１１】
特許文献４は、好ましい接地電極のハードウエアとそれを応用した空気中のイオン化作用に関するもので、結果的に防雷機能を目的とするものである。            
そこで、本発明は、更に発生する可能性のある雷撃自身の大きさを推定し、タイミングを図って雷撃環境を地表面上で面として(二次元)電荷分布の操作を加え、或いは、それら二次元点を根拠に、上下方向可変とすることで、三次元対応可能とすることで、まず狙った地点に誘導落雷させる。その際に雷撃通流する電流の搬送するエネルギー自体を含めて蓄積し、その後自在に活用可能にすべく、（過去実現されていなかった）積極的な雷撃対策を得ることを目的・課題とする。これは、以前大学研究機関などにおいて挑戦された実績はあっても、実際上実用化できなかった未踏領域への再挑戦を意味するもので、基礎的な実績計測データを得るところから始める必要がある。自然の複雑系を相手とするものの、実際上は、目に見え易いが複雑な機械系エネルギープロセスから電気系エネルギープロセスへのエネルギー変換を伴わず、電気から電気への形態変換が基幹の構成であることより、相対的にシンプルといえる。従って、原理的に実際適用へのハードルが低い、即ち実現可能性が高いものである。
【００１２】
いわゆる自然の中の電気エネルギーから人工的な装置の中の電気エネルギーへの直接変換プロセスを意図しており、この電気―電気変換の視点でエンドユーザのＱＯＬ向上を図る点で新しく、その切り口で検討し、以下、具体的に課題を提示する。
(1)雷撃の大きさの推定をいかにして行うか、その実際的な方法を提案すること。
基本構成方法と定量性把握のステップ
(2)推定した雷撃想定のもと、地点誘導制御に関する実際的な方法を提案すること。
計器による動的特性傾向と大気状況変動への待機、また誘導雷対策も必要。
(3)上記の雷撃時の過渡的特徴を持つ雷撃電流に応じて、後段の（二次側）回路の構成上、電気設備や電熱変換設備、電気機械変換設備の構成方法を提示すること。
【課題を解決するための手段】
【００１３】
上記課題(1)を解決するために、大気中で静電遮蔽をしない極板を用いて構成される可変容量コンデンサ群を配置し、更に意図してコンデンサ群の近傍である一部領域に誘雷針（金属導体による針状接地導体）を構成することで、天空側から地表面側を見て、同種反発性電荷領域と異種吸引性電荷領域（点）を峻別した配置構成とする。
【００１４】
可変容量コンデンサ群での（吸収）エネルギー量を既知として、地上電界強度分布情報を基に、雷雲下面の対地電位を推定し、雷撃電流を推定する。ここで、各容量性コンデンサの可変容量を増減することで、また、誘雷針突端の高さ位置をパラメータに適宜変更するなどして、その際に蓄積された（であろう）経験データとの照合判定により、推定精度を向上させるプロセスを置く。
【００１５】
雷撃前の各コンデンサの充電特性と、その際の端子電圧制御（分圧抵抗制御のポイント）の対応関係データを地上電界強度計測データと相関的に把握する。
【００１６】
ここで雷撃誘導の意味として、意図する概略の時間（時刻）と設定されている場所を指すものとするが、またこれらはその前提条件として、電荷分離雲（雷雲）が襲来することが前提であるので、いつでも自由に雷撃を発生させるという意味ではない。積乱雲などに代表される上昇気流が発生しなければ自然一般としては起き得ないのであるが、人工降雨のように人為的プロセスを包含するか否かは問わない（雷雲存在があれば良いということ）ものとする。
【００１７】
例えば、可変容量コンデンサ群の電荷蓄積状態が、広範囲であって、かつ多くの電荷量保持の状態を作り、一方、雷雲状態としてポテンシャルが高位に維持されていて、何時落雷発生してもおかしくないようなケースを代表例とすれば、該状況における一部領域の誘雷針自体も、コンデンサ避雷機能有効範囲の傘下空間に入っているとして、特性機能的には対雷の意味で異種引き合い電荷がマスキングされており、雷雲下面からは（引き合い先電荷が）見えない状態にあることとなる。かかる状態から、誘雷針近傍のコンデンサ群電荷を一斉にバッテリー側などの第二の充電設備に移し変え、空間電界強度発生の原因の一部を見かけ上なくすことで、誘雷針に誘導されうる異種電荷量が全面（上面）にその効果を発揮するものとなる。雷撃タイミングの誘導上の策としては、地上面側での可能な操作は上述の類となる。電荷蓄積量、変化速度、操作対象コンデンサの範囲など、また誘雷針の高度や、そのコンデンサとの間の相対高度、またその高さ位置変化率などの制御パラメータ、及び雷雲電荷滞留高度などを特定する必要があるが、地点ごとに、また、上空気流状態ごとに電界強度は一意的には定まらないものの、地点特性という意味で、過去の一定期間推移のデータを基に、概略判断を可能とするデータ蓄積と、その知見データからの推定制御に基づく操作を行うものとする。
【００１８】
次に、上記課題(2)を解決するために、やはり上記電界強度の計測データを用い、計測データに対応して、各コンデンサの充電電荷量を操作する。これは、スイッチ入り切りを含み、充電完了分の蓄電池への移し変え放電や抵抗消費での熱変換などで、電荷量（特性）を変更したり、或いは、針状誘導導体の相対位置を変更し、エネルギーレベル的に過激過ぎない雷撃として誘導するためのものである。
【００１９】
既に系全体での保有エネルギーの一部をコンデンサ（キャパシタ）群で吸引しているので、雷撃総エネルギーレベルは緩和されると考える。この緩和措置によって、ほど良く御されているとみなした後での雷撃事象を発生させることを目標とするものであるが、現段階では、気象変化の根源的プロセスでもある、天空上の上昇気流への人工的な操作は「通常では」できないので、あとは原則、成り行きを待つものである。積極的な化学薬品散布などの策もあるが、対策としての推定可能な技術の組合せのみを、ここでは記す。
雷雲の発達過程にあれば、地上側設備の状態固定の場合であっても雷撃確率は上がるので、「待ち」で良いが、消滅過程にあっては、既知の制御可能範囲で静電容量値Ｃと誘雷針位置を組合せ操作するものとする。上記プロセスでの雷エネルギー獲得を、異極性引き合い誘導の側面から、ここでは「雷トラップ」と称する。
【００２０】
換言すれば、上空に（移動しながらも）存在する電荷（群）から観て、最も電気的に導通し易い、「空間電路ルート」を探していると見なし、「地表面という下界」が同極性電荷ばかりしか観測できなければ、落雷点がない、ということになり、対象範囲外の遠方に落雷するか、より強力なポテンシャルアップとなるように増勢力化するものと考える。従って、電荷量分布を意図的に、（場所ごとにおいて）変更すれば、あたかも落雷のし易い度合いを地点上で操作しているものと等価と考える。反発性と（引合）吸引性の度合いを立体的に想起すれば理解し易い。その等電界面乃至電界勾配のなしうる立体的凹凸状態を、最終の雷撃点へのルート誘導過程として、最終的に既定の誘雷針の位置に導くわけである。必要なポテンシャルと地点確定させた結果として、人為的に決められた場所に「落とす」ことが可能となる。
【００２１】
定性的には上記は必然であるが、突変的な上昇気流発生や、その逆動作があれば、落雷は発生しないことになり、自然・天候相手なので、Ｎ回中Ｍ回発生すれば初期目的達成として良いので確率議論となる。上述計器観測などの精度向上と判定アルゴリズムに期する範囲は、常識的範疇のものと考える。
【００２２】
課題(3)についての解決手段として、電気的、機械的に蓄積されるエネルギーの形態を選んで、保持可能な状態を維持させる。つまり、雷撃は確率的なものであり、絶対的なものではないという立場であり、電熱変換、リアクトルによる磁気変換及びフライホイールの運動エネルギー変換など、用途・目的別に応用可能なシステムであれば、何でも構わない。
【００２３】
しかるに、入出力が化石燃料のごとく予定生成されたエネルギーではないので、一時的な蓄積で有用となるよう、（処理）プロセスシステムを近隣に設備することとなる。抵抗消費させて、電熱変換で民生用途の湯・蒸気としての使用や、工場生産プロセスへのエネルギー適用がある。また、リアクトル適用で磁場発生による磁気回路でのエネルギー回収（ＳＭＥＳなど）への適用、また、一式プラントの山間部設置であれば、近隣の電気鉄道の電源補充、起動時トルク源へのアシスト適用など、有意義なバックアップ運用が考えられる。計画的に、或いは、単発的に大電力が必要となる、リニア鉄道発車時所要トルクのアシストや、ハイドロカーボン類（炭化水素系）の燃料を極力使用しない、将来的な電磁力応用のロケット打ち上げへの適用も考えられる。更には、他の温度差発電への転化利用など、自然エネルギー獲得の併合的適用も視野に入れる。そうすることで、コンデンサ蓄電されたもののバッテリーへのエネルギー移動と、時定数の大きい機械・熱系への一時エネルギーバッファリングの結果、コンデンサ充電率ゼロとなった以降のタイミングでの、バッテリーへの追い蓄電への切替で、相互（総合）融通の合理性を向上させうる。
【発明の効果】
【００２４】
本発明によれば、雷撃自体の短時間放電現象によって搬送される電気的エネルギーの獲得を、前段域の電界強度変化フェーズ以降の可制御領域転化と、地上側計測把握可能な電気的プロセスの状態変化を用いて、実際的な意味で人類に有用な、新たなエネルギー獲得手法が可能となる。またそれは地域を選ばないで利用することが可能である。と同時に、地中を伝わってくる誘導雷被害の防止を含んで、限定されたエリアにおける雷撃被災確率を低減することができる。さらにこれは、異常気象傾向の増す現代において、特に急速に発達する積乱雲と竜巻現象に代表される急転天候時において、天空側と大地間の電位ギャップの過大状態解消にも繋がるシステムを提供することができ、自然災害の緩和措置としての効果もある。また、この人工的作用は、国土の多くの地表面を覆うほどのものではなく、自然の一部利用の範囲においてなされるので、恒久的な自然破壊の原因となるほどのものではない。自然界の一部の苛酷な動的な状況変化を一時的に応用する利用方法であり、社会的課題の一部の解となるべきものと確信する。
【００２５】
上記した以外の課題、構成及び効果は、以下の実施形態の説明により明らかにされる。
【図面の簡単な説明】
【００２６】
【図１】雷トラップの基本概念で、雷雲下面電荷と同極性電荷の地表面領域と、トラップ点でもある異極性電荷点の一例である。
【図２】雷雲下面に視点を置き、地表面を観た場合の電荷分布の見え方を示す例である。
【図３】エリア電荷量に差を設け、誘導雷の影響を防ぐための離隔距離確保の考え方を示す図である。
【図４】図２の雷撃誘導の極性差のコントラストを立体的に示す例である。
【図５】図３の雷撃誘導の極性差のコントラストを立体的に示す例である。
【図６】実際的な夏季雷の推定規模例・イメージと地表面側設備との相関規模例である。
【図７】図６を基に、誘導結果の「トラップ雷のエネルギー処理」の熱源適用例である。
【図８】図６を基に、誘導結果の「トラップ雷のエネルギー処理」のＳＭＥＳ適用例である。
【図９】近地点落雷の悪影響とされる「誘導雷被害」対策として、地上設備エリアの端部領域に離隔距離を確保して被害防止を図る例である。
【発明を実施するための形態】
【００２７】
以下、実施例について図面を用いて説明する。
【００２８】
本実施例では、地表面上のどこでもありうる天候変動であって、場所と時を指定はできないまでも、一度発生してしまった気象変化のプロセスにおいては、上空と地表面間での電気的なギャップ（電界強度変化）が大きくなる。通常それ自体は、人の生活圏において特段の影響は報告されてはいないが、間接的に降雨・落雷によって、「自然」の影響を広域に受けている。本実施例は、上記自然現象の一断面において、次第に変化する電界変化を地表面側設備の構成的・運用的工夫によって、自然エネルギー（再生可能エネルギーの一種）の一部を人類に益するように獲得する方法・システムであり、特に落雷・雷撃に関するエネルギー獲得の要点であるアプローチを明確にする。
【００２９】
それが実際的な構成を採ることが可能であることを、大気空間における電界中に配置された（大容量）コンデンサ４を基本コンポーネントとするＲＣ直列回路の過渡現象の結果生じる充電現象を適用する装置の適用を前提に、更に地表面の面的な広がりを考え、また電荷の極性性向のあり方を踏まえて、それら組合せを立体的な次元拡張を伴って実現できることを説明する。
【００３０】
図１の鳥瞰図は、雷トラップの基本概念を説明する図であり、雷雲下面１に正電荷が誘導され、地表面に複数の三角錐形状の仮想正電荷支配領域の空間群が存在していることを示す。この三角錐形状の仮想正電荷支配領域の空間（避雷機構装置、仮想避雷傘空間）２のひとつは、図１（Ｂ）に示すように、大容量コンデンサ４（並列接続したリチウムイオンキャパシタを用いてもよい。）の極板において、静電遮蔽しない使い方で、対向上空空間の雷雲下面１に正電荷に対応した電荷が配置されるとしたものである。これは、雷雲下面１に正電荷発生の原因事象に伴って、地表面側では、地中アース領域５より逆符号電荷（マイナス）の誘導が起きる。更に、接地構成を有する大容量コンデンサ４を接地状態とすることで（大容量コンデンサ４を接地コンデンサと呼ぶ。）、上記逆符号電荷（マイナス）の誘導がコンデンサ極板（アース側）にも同様に発生する。この意味は更に、コンデンサ極板（上側：雷雲下面側）に、その逆電荷であるプラス電荷を誘導することとなる。従って、図１の円錐形上部のプラス電荷をイメージさせる図示表現としている。こうすることでその空間２への落雷の防止に寄与することができ、また、その仮想避雷傘空間２を群構成とすることで、エリア面積を確保し、広範な活動領域内の落雷防止を可能とするものである。この領域面積自体が上空の雷雲の影響範囲に関する呼応状況によって効果の程度は異なるものの定性的には理解し易いものである。かかる広域を対象にし、意図的に一部領域のみ、その効果を外すべく設定（仮想避雷傘空間２を設けない）し、そこに、誘雷針（従来の避雷針の呼称による機能、誘雷機構装置）設備３を配置すれば、またその上空高さ（図１（Ｃ）のｈ）を可変的に操作可能にすれば、大地アースから誘導されるマイナス電荷を召集し、そのポイントにおいては、周辺エリアの電荷極性とは逆の電荷特性である引き合う特性の地点が現出することになる。このことは雷雲下面１の電荷から見れば、落雷しにくい広がりを持つ地表面の中に、特別な「落雷し易い」地点を現出させることになり、将にピンポイント落雷を発生させることができる。
【００３１】
なお、大容量コンデンサ４の充電量の調節方法として、他の蓄電システムへの電荷移動作業を遂行中は、近隣の他のコンデンサ充電電荷極性による避雷空間内にて実行可能な構成組合せとする。
【００３２】
図２に示すのは、上空雷雲下面１から地表面を見下ろすものとした場合、電荷の配置分布状況の見え方がこのようになることを示す説明図（地表面電化分布模式図）である。電荷コントラスト（意図的な雷撃点誘導のためのトラッピングコントラストの極性差イメージ）といい意味で理解は容易である。
【００３３】
次に、図３は、図２の地表面電化分布模式図の、応用的な意味での配置の考えであるが、意図的な雷撃地点誘導に加え、更に落雷時の付帯的な悪影響被害でもある「誘導雷対策」に関するものである。この誘導雷での対策は、一度落ちてしまった雷の地中電流の過渡的な周縁部分への電磁界的な効果で、ノイズが異常に発生してしまったり電子部品の絶縁破壊が起きたりすることであるので、影響を弱くするには、基本的には離隔距離を十分確保するという対策を念頭に置いたものである。即ち、上述の「避雷」効果を期待するコンデンサに充電される同極性電荷量を大きくすることで、落雷点を地表面上の遠方に退かせる策である。図中の距離Ｌやｌによって示すところを意識して、隣接部エリアの電荷量を密に表現して記載したものである。
【００３４】
また、図４は、雷雲と地表面間の立体空間における電荷反発と吸引（引き合い）の関係を、立体模式的表現によって示す地表面電荷分布立体イメージ模式図である。落雷し易いポイントを近く、避雷的機構部を遠くに示している。図５も同様であるが、図４を更に図示上デフォルメの目的で、機能的には、図３の例に対応させた地表面電荷分布立体イメージ模式図である。
【００３５】
また図６は、実際の規模的なイメージ説明のための図示であるが、雷雲自体が移動性向であることから、落雷の多いところに限定されないものとする。実際広域の落雷実績データが気象庁他、天候関連事業者などから広報されているが、陸海を問わず結構な頻度で落雷を受けるものと考える。上記はインターネットなどによる情報収集で容易であることから敢えて客観的なデータを準備していないものの、常識的に、不特定ながら人類の活動エリアで落雷の防止に意義のある地点に選んで地表面設備（仮想避雷傘空間２、誘雷針設備３）を設ければよい。
【００３６】
図７、図８は、落雷させた後の実電流をどこに消費させるか、どこに蓄積させるかという、実電流の利用形態の議論のための参考図例である。熱エネルギー、回転体慣性エネルギー（フライホイールなど）、超伝導応用のＳＭＥＳ貯蔵システムなど、または、揚水による位置エネルギーへの変換、蓄電池、化学反応の逆反応である特定化学物質化など、瞬時エネルギーレベルの大きさにより、活用形態に合う蓄積システムの適用は、目的別・地域別に様々で自由である。
【００３７】
図９は、図３、５の説明対応用のものであるが、ここでは、電荷極性を意図して逆にした。雷雲の電荷極性は常に一意的ではなく、場所条件では、逆転するものであることを意味する。しかるに逆転の場合であっても、電荷極性決定プロセスは、原因である上空の雷雲電荷分離特性の帰結であるので、地上で準備される電気品は、それに自動呼応する電荷決定の（特性）属性に留意する必要がある。
【００３８】
上述の内容に関して改めて説明する。
１．動的には変化する雷雲の保有するエネルギーを、ここでは「Etotal」とする。
２．多変数地表面接地コンデンサ(キャパシタ)を複数・群として配設することにより、充電抵抗rも考慮した上で、その個々の大気電界より得る静電エネルギーをEc＋Erとする。
３．誘雷針又は招雷針回路の接地側の回路内に設ける(ex.)抵抗Rでの発熱エネルギーをERとする。
４．エネルギー変換プロセスの説明
(1)主に自然現象により、Etotal を有する雷雲等気象変化空間が与えられる。
(2)落雷に至る前の大気空間電界の変化により、接地構成を有するキャパシタ発電(充電)設備及び回路中抵抗rによる発熱回収によるエネルギー回収に預かるエネルギーEc＋Erを複数台構成でカウントする。
Σ(Ec＋Er)  ・・・人工的に回収可の意味
(3) Etotal − Σ(Ec＋Er)の空間エネルギーの減少は雷雲の対地電位差を下げる。
(4) (3)に示す過大でない”適度の大きさ”の雷雲エネルギーの緩和で程々の大きさの電圧に抑制された落雷条件へ移行させることができる。
→経験論的手法との組合せで状態推論する。
(ex.)
(a)雷雲下面の地表面からの高さHCB(Cloud Bottom)(光学的に計測する。)
(b)地表面設備の各所に設けた電界(強度)センサにより、地点上空の電界変化推移をモニター。
(c)HCBにおける対地電位を(b)の分布の代表データを用いて推定演算する。
(d)#2キャパシタ 入／切や対地高さを操作して空間電界エネルギーを吸収し、架空極板に残存する電荷を適量範囲にする。
(e)Lighting Trap用に設けた招雷又は誘雷針回路の針を雷雲の雲底から見て、極性コントラストをつけて掲げる。(ここで電荷の存在位置の空間隔離状態の相対距離に注意し、不測の空間電路による放電を防止すること。)
(f)雷雲の底にある電荷は、地表面上の同極性エリアの中で一点のみ異極性電荷を見つけ、(場の中で引き合い)適度な落雷電圧において雷撃する。
【００３９】
ここで、補足したいのは、地上電界強度変化計測による面的な把握と、それらの面的特性変化の結果による上空空間の雷撃可能性推定には、雷雲下面１の電荷存在領域の高度推定が精度向上に寄与するものと考える。これは、雷雲下面１の電荷量の変化推移で、過去の落雷実績（経験）時のデータとの比較参照による相関的把握により知識情報化して、精度向上に努めるものである。更に上位のマクロ情報の処理を考えれば、観測衛星なり、気温・気圧変化他の気象情報の基づく一連の全雷雲情報で全エネルギー量の把握と、雷雲の進行方向を知って、その経路上の配設された設備容量での対策予定の立案にも貢献できるデータベース作成も可能となる。この先の容易な推定としては、雷雲襲来単位でのエネルギー獲得量の予測を可能とし、自然エネルギーの一部獲得を、各都市、地方行政単位、全国単位での把握に引き上げれば、年間の必要エネルギーの内の幾分かの確保期待が、高確率的に可能となる。毎年必ず嵐は襲来するものである。
【符号の説明】
【００４０】
１：雷雲下面、２：仮想避雷傘空間、３：誘雷針設備、４：大容量コンデンサ、５：地中アース領域。
【図１】
2015097188.tif 000003
【図２】
2015097188.tif 000004
【図３】
2015097188.tif 000005
【図４】
2015097188.tif 000006
【図５】
2015097188.tif 000007
【図６】
2015097188.tif 000008
【図７】
2015097188.tif 000009
【図８】
2015097188.tif 000010
【図９】
2015097188.tif 000011